(57)【特許請求の範囲】
【請求項１】
使用者により入力される多数の電話番号を記憶可能な不揮発性メモリを有し、この不揮発性メモリを利用して使用者が簡易な操作で所望の相手の電話番号を発信できる電子電話帳機能を備えた通信装置であって、
受信時に受信情報から発呼元の電話番号を抽出する発呼元電話番号抽出手段と、
上記発呼元電話番号抽出手段によって抽出された発呼元の電話番号を記憶する発呼元電話番号記憶手段と、
自己の電話番号に含まれる所定番号を記憶する所定番号記憶手段と、
上記発呼元番号記憶手段に記憶された発呼元の電話番号を一覧表示させるための第１の操作手段と、
上記使用者による上記第１の操作手段の操作により上記発呼元の電話番号の一覧表示が指示されると、表示手段に上記発呼元番号記憶手段に記憶された発呼元の電話番号を一覧表示させる表示制御手段と、
上記表示手段に表示された発呼元の電話番号の一覧表示の中から上記不揮発性メモリに登録すべき電話番号を選択するための第２の操作手段と、
上記使用者による上記第２の操作手段の操作により１の発呼元の電話番号が選択されると、当該発呼元の電話番号と、上記所定番号記憶手段に記憶されている所定番号とを比較し、その比較結果に応じて発呼元の電話番号を部分的に変更し、その変更後の電話番号を上記不揮発性メモリに記憶させる登録制御手段とを有することを特徴とする通信装置。
【請求項２】
上記所定番号は、地域別に付与される地域番号であり、上記登録制御手段は、発呼元の電話番号に含まれる地域番号と自己の地域番号とが一致した場合、その発呼元の電話番号から地域番号を削除した後の電話番号を上記不揮発性メモリに記憶させている、請求項１に記載の通信装置。
【請求項３】
上記所定番号は、地域別に付与される地域番号であり、上記登録制御手段は、発呼元の電話番号に含まれる地域番号と自己の地域番号とが相違する場合、その発呼元の電話番号に所定の地域外番号を付加した後の電話番号を上記不揮発性メモリに記憶させている、請求項１または請求項２に記載の通信装置。
【請求項４】
コンピュータを、使用者により入力される多数の電話番号を記憶可能な不揮発性メモリを有し、この不揮発性メモリを利用して使用者が簡易な操作で所望の相手の電話番号を発信できる電子電話帳機能を備えた通信装置として機能させるためのプログラムを記憶したコンピュータ読み取り可能な記憶媒体であって、
上記コンピュータを、
受信時に受信情報から抽出された発呼元の電話番号を記憶する発呼元電話番号記憶手段と、
上記発呼元電話番号抽出手段によって抽出された発呼元の電話番号を記憶する発呼元電話番号記憶手段と、
上記発呼元番号記憶手段に記憶された発呼元の電話番号を一覧表示させるための第１の操作手段と、
上記使用者による上記第１の操作手段の操作により上記発呼元の電話番号の一覧表示が指示されると、表示手段に上記発呼元番号記憶手段に記憶された発呼元の電話番号を一覧表示させる表示制御手段と、
上記表示手段に表示された発呼元の電話番号の一覧表示の中から上記不揮発性メモリに登録すべき電話番号を選択するための第２の操作手段と、
上記使用者による上記第２の操作手段の操作により１の発呼元の電話番号が選択されると、当該発呼元の電話番号と、上記所定番号記憶手段に記憶されている所定番号とを比較し、その比較結果に応じて発呼元の電話番号を部分的に変更し、その変更後の電話番号を上記不揮発性メモリに記憶させるための登録制御手段と、
して機能させるためのプログラムを記憶したことを特徴とするコンピュータ読み取り可能な記憶媒体。
【発明の詳細な説明】
【０００１】
【発明の属する技術分野】
本発明は、たとえば電話装置やファクシミリ装置などにおいて、いわゆる電子電話帳機能を備えた通信装置、およびその通信装置を制御するためのプログラムを記憶した記憶媒体に関する。
【０００２】
【従来の技術】
従来より電話装置やファクシミリ装置などにおいては、何度も同じ相手先に対して電話番号をダイヤル入力する手間を省くために、あらかじめ所望とする相手の電話番号をひかえて不揮発性メモリなどに発信番号として登録しておくといった電子電話帳機能が備えられている。
【０００３】
また、最近の通信回線サービスの一つとして、発呼元からの呼出信号を受信するのに伴い、その発呼元の電話番号も受信情報として通知されるサービスが実現されている。そのような通知サービスに対応した電話装置やファクシミリ装置などには、受信時に受信情報から発呼元の電話番号を抽出し、そうして抽出された電話番号を受信番号として履歴に残しておくといった受信履歴記憶機能を備えたものもある。
【０００４】
このような電話装置やファクシミリ装置などが接続された電話回線網においては、相手先の電話番号をダイヤル入力して発信する際、その相手先および自己に割り当てられた電話番号に含まれる所定の番号、たとえば地域番号に応じて、相手先の電話番号を部分的に変更して発信することを要する場合もある。たとえば、米国においては、発信する際の通信手順として、自己と相手先の電話番号に同じ市外局番の地域番号が含まれる場合、その相手先の電話番号から市外局番を削除してダイヤル入力する必要がある。また、自己と相手先の市外局番が異なる場合、その市外局番をダイヤル入力する前に相手先が地域外に所在することを示す地域外番号をダイヤル入力しなければならないといった通信手順が必要とされる。
【０００５】
したがって、相手先の電話番号を発信番号として不揮発性メモリに登録する際には、自己の市外局番に応じて相手先の電話番号を一部変更して登録しておかなければならず、そうすることにより発信時には、不揮発性メモリから直接呼び出された発信番号がそのまま電話回線上に発信されて相手先との接続が確実かつ簡単に行われる。
【０００６】
【発明が解決しようとする課題】
しかし、上記従来の電話装置やファクシミリ装置では、たとえば受信履歴記憶機能に基づいて得られた受信番号を電子電話帳機能に基づく発信番号として登録しておけば、より便利な使い道が提供されるが、上述したような通信手順に対応しつつ受信番号を発信番号として登録する場合、使用者が市外局番を確認しながら相手先の電話番号を一部変更するといった面倒な入力操作が必要とされ、ワンタッチ操作で簡単に受信番号から発信番号への変換を行うことができなかった。
【０００７】
本発明は、上記の点に鑑みて提案されたものであって、ワンタッチ操作で簡単に発呼元の電話番号を通信手順に対応した電子電話帳機能に基づく電話番号に変換して登録することができる通信装置、およびその通信装置を制御するためのプログラムを記憶した記憶媒体を提供することを目的とする。
【０００８】
【課題を解決するための手段】
上記目的を達成するために、請求項１に記載した発明の通信装置は、使用者により入力される多数の電話番号を記憶可能な不揮発性メモリを有し、この不揮発性メモリを利用して使用者が簡易な操作で所望の相手の電話番号を発信できる電子電話帳機能を備えた通信装置であって、受信時に受信情報から発呼元の電話番号を抽出する発呼元電話番号抽出手段と、上記発呼元電話番号抽出手段によって抽出された発呼元の電話番号を記憶する発呼元電話番号記憶手段と、自己の電話番号に含まれる所定番号を記憶する所定番号記憶手段と、上記発呼元番号記憶手段に記憶された発呼元の電話番号を一覧表示させるための第１の操作手段と、上記使用者による上記第１の操作手段の操作により上記発呼元の電話番号の一覧表示が指示されると、表示手段に上記発呼元番号記憶手段に記憶された発呼元の電話番号を一覧表示させる表示制御手段と、上記表示手段に表示された発呼元の電話番号の一覧表示の中から上記不揮発性メモリに登録すべき電話番号を選択するための第２の操作手段と、上記使用者による上記第２の操作手段の操作により１の発呼元の電話番号が選択されると、当該発呼元の電話番号と、上記所定番号記憶手段に記憶されている所定番号とを比較し、その比較結果に応じて発呼元の電話番号を部分的に変更し、その変更後の電話番号を上記不揮発性メモリに記憶させる登録制御手段とを有することを特徴としている。
【０００９】
このような通信装置によれば、発呼元の電話番号を電子電話帳機能に基づいて、使用者が第１，第２の操作手段を操作して所望の発信すべき相手先の電話番号として登録する際、その発呼元と自己の所定番号に関する比較結果に応じて自動的に番号変更が行われるので、ワンタッチ操作で簡単に発呼元の電話番号を通信手順に対応した電子電話帳機能に基づく電話番号に変換して登録することができる。
【００１０】
また、請求項２に記載した発明の通信装置は、請求項１に記載の通信装置であって、上記所定番号は、地域別に付与される地域番号であり、上記登録制御手段は、発呼元の電話番号に含まれる地域番号と自己の地域番号とが一致した場合、その発呼元の電話番号から地域番号を削除した後の電話番号を上記不揮発性メモリに記憶させている。
【００１１】
このような通信装置によれば、請求項１に記載の通信装置による効果に加えて、発信すべき相手先の地域番号と自己の地域番号とが一致する場合、その相手先の電話番号から地域番号を削除して発信しなければならないという通信手順に対応するので、そのような具体的な通信手順に対応させつつ発呼元の電話番号を電子電話帳機能に基づく相手先の電話番号として登録することができる。
【００１２】
さらに、請求項３に記載した発明の通信装置は、請求項１または請求項２に記載の通信装置であって、上記所定番号は、地域別に付与される地域番号であり、上記登録制御手段は、発呼元の電話番号に含まれる地域番号と自己の地域番号とが相違する場合、その発呼元の電話番号に所定の地域外番号を付加した後の電話番号を上記不揮発性メモリに記憶させている。
【００１３】
このような通信装置によれば、請求項１または請求項２に記載の通信装置による効果に加えて、発信すべき相手先の地域番号と自己の地域番号とが異なる場合、その相手先の電話番号に地域外番号を付加して発信しなければならないという通信手順に対応するので、そのような具体的な通信手順に対応させつつ発呼元の電話番号を電子電話帳機能に基づく相手先の電話番号として登録することができる。
【００１４】
また、請求項４に記載した発明の記憶媒体は、コンピュータを、使用者により入力される多数の電話番号を記憶可能な不揮発性メモリを有し、この不揮発性メモリを利用して使用者が簡易な操作で所望の相手の電話番号を発信できる電子電話帳機能を備えた通信装置として機能させるためのプログラムを記憶したコンピュータ読み取り可能な記憶媒体であって、上記コンピュータを、受信時に受信情報から抽出された発呼元の電話番号を記憶する発呼元電話番号記憶手段と、上記発呼元電話番号抽出手段によって抽出された発呼元の電話番号を記憶する発呼元電話番号記憶手段と、上記発呼元番号記憶手段に記憶された発呼元の電話番号を一覧表示させるための第１の操作手段と、上記使用者による上記第１の操作手段の操作により上記発呼元の電話番号の一覧表示が指示されると、表示手段に上記発呼元番号記憶手段に記憶された発呼元の電話番号を一覧表示させる表示制御手段と、上記表示手段に表示された発呼元の電話番号の一覧表示の中から上記不揮発性メモリに登録すべき電話番号を選択するための第２の操作手段と、上記使用者による上記第２の操作手段の操作により１の発呼元の電話番号が選択されると、当該発呼元の電話番号と、上記所定番号記憶手段に記憶されている所定番号とを比較し、その比較結果に応じて発呼元の電話番号を部分的に変更し、その変更後の電話番号を上記不揮発性メモリに記憶させるための登録制御手段と、して機能させるためのプログラムをコンピュータ読み取り可能に記憶したことを特徴としている。
【００１５】
このような記憶媒体によれば、記憶されたプログラムに基づいてＣＰＵを動作させることにより、請求項１に記載の通信装置の動作を実現することができる。
【００１６】
【発明の実施の形態】
以下、本発明の好ましい実施の形態について図面を参照して具体的に説明する。
【００１７】
図１は、本発明にかかる通信装置の一実施形態を示した回路ブロック図である。ここで、本実施形態においては、通信装置としてファクシミリ装置が適用されているが、以下の説明においては、送受信機能に付随した補助的な機能である、いわゆる電子電話帳機能および受信履歴記憶機能に関して重点的に解説するものとする。また、図に示す公衆電話回線１６は、たとえば米国などの公衆電話回線に類するものであって、相手先の電話番号をダイヤル入力して発信する際、その相手先および自己に割り当てられた電話番号に含まれる所定の番号、本実施形態では市外局番に応じて、相手先の電話番号から市外局番を削除したり、あるいは相手先が自己の地域外に所在することを示す地域外番号を電話番号に付加して発信するといった通信手順が必要とされる回線網である。このような公衆電話回線１６においては、通信回線サービスの一つとして、発呼元からの呼出信号が継続する間の無音区間にて、その発呼元の電話番号を通知するためのコーラＩＤ信号が受信情報として受信可能とされている。
【００１８】
図１に示すように、ファクシミリ装置は、ＣＰＵ１、ＮＣＵ２、ＲＡＭ３、モデム４、ＲＯＭ５、ＥＥＰＲＯＭ６、ゲートアレイ７、コーデック８、ＤＭＡＣ９、読取部１１、記録部１２、操作部１３、および表示部１４を具備して構成されている。ＣＰＵ１、ＮＣＵ２、ＲＡＭ３、モデム４、ＲＯＭ５、ＥＥＰＲＯＭ６、ゲートアレイ７、コーデック８、およびＤＭＡＣ９は、バス線１５により相互に接続されている。バス線１５には、アドレスバス、データバス、および制御信号線が含まれる。ゲートアレイ７には、読取部１１、記録部１２、操作部１３、および表示部１４が接続されている。
【００１９】
ＣＰＵ１は、ファクシミリ装置全体を制御する。ＮＣＵ２は、公衆電話回線１６に接続されて網制御を行う。ＲＡＭ３は、充電電池などにより電源バックアップが施されており、ＣＰＵ１の作業領域や各種データの格納領域を提供する。モデム４は、ファクシミリデータの変調や復調などを行う。ＲＯＭ５は、各種のプログラムや設定値などのデータを記憶している。ＥＥＰＲＯＭ６は、各種のフラグや設定データなどを記憶する。具体的にＥＥＰＲＯＭ６は、電子電話帳機能に基づいて相手先の電話番号（以下、「発信番号」という）を記憶するための電話帳エリアを提供するとともに、受信履歴記憶機能に基づいて呼び出しを受けた発呼元の電話番号（以下、「受信番号」という）を履歴として残しておくための受信履歴エリアを提供する。ゲートアレイ７は、ＣＰＵ１の入出力インターフェースとして機能する。コーデック８は、ファクシミリデータの符号化や復号化を行う。ＤＭＡＣ９は、ＲＡＭ３へのデータの書き込みや読み出しを行う。
【００２０】
読取部１１は、送信すべき原稿用紙から画像を読み取る機能を有している。記録部１２は、たとえばインクジェット方式あるいは熱転写方式などの印字手段により、受信した画像を記録用紙に再現するといった機能を有している。操作部１３は、キースイッチ群を備えており、電話番号や発信操作などの入力操作の他に、必要に応じて入力操作された信号をＣＰＵ１に伝えるためのものである。表示部１４は、ＬＣＤやＬＥＤなどの表示デバイスを備えており、ＣＰＵ１の制御によって各種の情報内容を表示するためのものである。
【００２１】
本発明の要点について簡単に説明すると、ＥＥＰＲＯＭ６の電話帳エリアには、使用者のキー操作に応じて入力された発信番号と相手先名などが記憶されている。ここに記憶された発信番号は、操作部１３上のワンタッチキーに対応付けられ、ワンタッチキーを押下することにより送出されたり、また、短縮番号と対応付けられ、操作部１３上の数字キーなどを組み合わせて短縮番号が入力されることにより送出される。また、ＥＥＰＲＯＭ６の受信履歴エリアには、呼び出しを受けた発呼元の受信番号と受信日時などが記憶されている。さらに、ＥＥＰＲＯＭ６には、自己に割り当てられた電話番号に含まれる市外局番が使用者の入力操作などに応じて記憶されている。
【００２２】
このような電話帳エリアに登録された発信番号は、公衆電話回線１６に接続する際の通信手順に対応したものとされ、つまり、自己の市外局番と同一の市外局番を含む相手先の電話番号については、その市外局番を削除した番号列の発信番号として電話帳エリアに登録しておく必要がある。また、自己の市外局番と異なる市外局番を含む相手先の電話番号については、その市外局番の前に相手先が地域外に所在することを示す、たとえば１桁の地域外番号を付加した番号列の発信番号として電話帳エリアに登録しておく必要がある。
【００２３】
その一方、受信履歴エリアに残された受信番号は、発呼元の市外局番、市内局番、および回線加入番号をすべて含み、呼び出しを受けた発呼元の市外局番が自己の市外局番に一致するか否かにかかわらず、上記受信番号は、すべて同様にコーラＩＤ信号を受信することによって取得されている。
【００２４】
このようにコーラＩＤ信号を受信して得られた受信番号は、ＥＥＰＲＯＭ６の受信履歴エリアに記憶されるが、そうして受信履歴エリアに記憶された受信番号を発信番号として登録しておくといった使い道がある。そのために受信番号を発信番号として変換する際、まず、ＣＰＵ１は、使用者の操作に応じて受信履歴エリアに記憶された受信番号を表示部１４にて表示させる。続いて、ＣＰＵ１は、使用者の選択操作に応じて受信番号を選択させる。そうして受信番号が選択されると、ＣＰＵ１は、その受信番号に含まれる市外局番とＥＥＰＲＯＭ６に記憶されている自己の市外局番とを比較する。最終的に、ＣＰＵ１は、比較結果に基づいて受信番号から市外局番を削除したり、または地域外番号を付加した後、そうして変更した後の番号列を発信番号として電話帳エリアに記憶させる。これにより、受信番号の選択から発信番号の記憶までの一連の動作が受信番号を選択するだけのワンタッチ操作で行われることとなる。
【００２５】
すなわち、ＥＥＰＲＯＭ６は、使用者により入力される多数の電話番号を記憶可能な不揮発性メモリを実現している。また、ＥＥＰＲＯＭ６は、後述する発呼元電話番号抽出手段によって抽出された発呼元の電話番号を記憶する発呼元電話番号記憶手段と、自己の電話番号に含まれる所定番号を記憶する所定番号記憶手段とを実現している。
【００２６】
ＣＰＵ１は、受信時に受信情報から発呼元の電話番号を抽出する発呼元電話番号抽出手段と、上記発呼元電話番号記憶手段に記憶された発呼元の電話番号と、上記所定番号記憶手段に記憶されている所定番号とを比較し、その比較結果に応じて上記選択された電話番号を部分的に変更し、その変更後の電話番号を上記不揮発性メモリに記憶させる登録制御手段とを実現している。
【００２７】
ＲＯＭ５は、使用者により入力される多数の電話番号を記憶可能な不揮発性メモリを有し、この不揮発性メモリを利用して使用者が簡易な操作で所望の相手の電話番号を発信できる電子電話帳機能を備えるとともに、受信時に受信情報から抽出された発呼元の電話番号を記憶する発呼元電話番号記憶手段、および自己の電話番号に含まれる所定番号を記憶する所定番号記憶手段を備えた通信装置を制御するためのプログラムを記憶した記憶媒体であって、上記発呼元電話番号記憶手段に記憶された発呼元の電話番号と、上記所定番号記憶手段に記憶されている所定番号とを比較し、その比較結果に応じて発呼元の電話番号を部分的に変更し、その変更後の電話番号を上記不揮発性メモリに記憶させるための登録制御プログラムを含むプログラムを記憶した記憶媒体を実現している。
【００２８】
次に、上記構成を有するファクシミリ装置の動作、特に受信番号を発信番号として電話帳登録する際の動作について図面を参照して説明する。
【００２９】
図２は、受信番号が履歴として記憶される際の処理手順について示したフローチャートであって、この図に示すように、受信番号が記憶される前提として、まずＣＰＵ１は、公衆電話回線１６を介して発呼元からの呼出信号を受信したか否かを検知している（Ｓ１）。
【００３０】
呼出信号の受信を検知すると（Ｓ１：ＹＥＳ）、ＣＰＵ１は、その呼出信号が継続される間の無音区間にてコーラＩＤ信号を受信したか否かを検知している（Ｓ２）。
【００３１】
コーラＩＤ信号の受信を検知すると（Ｓ２：ＹＥＳ）、ＣＰＵ１は、そのコーラＩＤ信号から抽出した受信番号を表示部１４にて表示させる（Ｓ３）。
【００３２】
また、ＣＰＵ１は、そうして抽出された受信番号をＥＥＰＲＯＭ６の受信履歴エリアに記憶させる（Ｓ４）。
【００３３】
続いて、ＣＰＵ１は、ＮＣＵ２を制御することで呼出音を鳴動させる（Ｓ５）。この呼出音の鳴動によって、通常、使用者は、相手先から呼び出しがあることを知る。
【００３４】
そうして、装置自体の制御動作あるいは使用者などによってオフフックされたことを検知すると（Ｓ６：ＹＥＳ）、ＣＰＵ１は、公衆電話回線１６を閉結させた状態とする（Ｓ７）。これにより、発呼元からのファクシミリ送信データの受信や、音声信号の送受信が可能となって交信が始められる。
【００３５】
こうした発呼元との交信を終えてオンフックされたことを検知すると（Ｓ８：ＹＥＳ）、ＣＰＵ１は、公衆電話回線１６を開放し（Ｓ９）、この受信処理にかかる一連の動作を終了する。
【００３６】
Ｓ８において、オンフックされない場合（Ｓ８：ＮＯ）、ＣＰＵ１は、オンフックされるまで発呼元との交信が続けられる状態であることを監視する。
【００３７】
Ｓ６において、オフフックされない場合（Ｓ６：ＮＯ）、ＣＰＵ１は、オフフックされるまでＳ５に戻って呼出音を鳴動させる処理を繰り返し行う。この際、発呼元から強制的に切断された場合、ＣＰＵ１は、割込処理によってこの受信動作を終了する。
【００３８】
Ｓ２において、コーラＩＤ信号を受信しない場合（Ｓ２：ＮＯ）、ＣＰＵ１は、受信番号の表示や記憶させるといった動作を行うことなく、Ｓ５に飛んで受信番号に関連する動作を省略する。つまり、コーラＩＤ信号を受信しない場合には、発呼元から受信番号を非通知とした状態で呼び出しを受けた状態となる。
【００３９】
Ｓ１において、呼出信号を受信しない場合（Ｓ１：ＮＯ）、ＣＰＵ１は、この受信処理にかかる動作を開始させることなく、呼出信号を受信するまで待機状態を続ける。
【００４０】
以上のようにしてコーラＩＤ信号を受信することにより、発呼元の電話番号である受信番号がＥＥＰＲＯＭ６に記憶されて残される。
【００４１】
次に、図３は、受信番号を発信番号として変換する際の処理手順を示したフローチャートであって、この図に基づいて受信番号を発信番号として変換する際の処理動作について説明する。
【００４２】
図３に示すように、まず、ＣＰＵ１は、受信履歴エリアに記憶された受信番号を表示させることを要求する操作が使用者によってなされたか否かを検知している（Ｓ１１）。
【００４３】
受信番号を表示させるための操作がされた場合（Ｓ１１：ＹＥＳ）、ＣＰＵ１は、受信履歴エリアから受信番号を読み出して一覧表示させる（Ｓ１２）。この際、すべての受信番号を表示部１４にて表示できないような場合には、スクロール表示などによって一つずつ受信番号が表示される。
【００４４】
そうして受信番号が表示されると、ＣＰＵ１は、表示された受信番号から使用者により所望とする受信番号が選択されたか否かを検知している（Ｓ１３）。
【００４５】
所望とする受信番号が選択されると（Ｓ１３：ＹＥＳ）、ＣＰＵ１は、その選択された受信番号に含まれる市外局番と、ＥＥＰＲＯＭ６に記憶されている自己の市外局番とが一致するか否かを比較判定する（Ｓ１４）。その際、ＥＥＰＲＯＭ６に記憶されている自己の市外局番の桁数に応じて判定を行う。つまり、自己の市外局番が１桁の場合は、選択された受信番号における先頭１桁のみの比較を行い、２桁の場合には、受信番号における先頭２桁のみの比較を行う。後述するＳ１９の処理も同様に行われる。
【００４６】
比較判定結果として市外局番が一致するとの結果が得られた場合（Ｓ１４：ＹＥＳ）、ＣＰＵ１は、使用者により選択された受信番号から市外局番を削除した番号を作成する（Ｓ１５）。
【００４７】
最終的に、ＣＰＵ１は、そうして市外局番が削除された受信番号を発信番号としてＥＥＰＲＯＭ６の電話帳エリアに記憶させ（Ｓ１６）、この変換処理にかかる動作を終了する。これにより、使用者が所望とする受信番号を選択した後は、市外局番をダイヤル入力する必要のない通信手順に対応した発信番号が受信番号から自動的に変換されて電話帳エリアに登録された状態となる。
【００４８】
Ｓ１４において、比較判定結果として市外局番が自己の市外局番と一致しないとの結果が得られた場合（Ｓ１４：ＮＯ）、ＣＰＵ１は、使用者により選択された受信番号に地域外番号を付加した番号を作成し（Ｓ１７）、そうして地域外番号が付加された受信番号を発信番号としてＳ１６の処理を行う。これによっても、使用者が所望とする受信番号を選択した後は、地域外番号を不可避的にダイヤル入力しなければならない通信手順に対応した発信番号が受信番号から自動的に変換されて電話帳エリアに登録された状態となる。なお、この付加番号は、使用者が所望とする番号を登録できるように構成されていてもよい。たとえば、一般的に使用されている「００７７」、「００８８」といった番号をあらかじめ指定しておき、電話帳エリアへの登録時にこれらが付加されるように構成することも可能である。
【００４９】
Ｓ１３において、電話帳エリアに登録すべき受信番号が選択されるのではなく、その時点で表示された一の受信番号について発信操作がされた場合（Ｓ１８：ＹＥＳ）、ＣＰＵ１は、Ｓ１４と同様にして発信要求された受信番号に含まれる市外局番と、ＥＥＰＲＯＭ６に記憶されている自己の市外局番とが一致するか否かを比較判定する（Ｓ１９）。
【００５０】
比較判定結果として市外局番が一致するとの結果が得られた場合（Ｓ１９：ＹＥＳ）、ＣＰＵ１は、発信要求された受信番号から市外局番を削除した番号を作成し（Ｓ２０）、そうして市外局番が削除された受信番号を発信番号として発信処理を行う（Ｓ２１）。これにより、使用者が所望とする受信番号について発信要求すると、市外局番をダイヤル入力する必要のない通信手順に対応した発信番号が受信番号から自動的に変換されて発信されることとなる。
【００５１】
Ｓ１９において、比較判定結果として市外局番が自己の市外局番と一致しないとの結果が得られた場合（Ｓ１９：ＮＯ）、ＣＰＵ１は、使用者により発信要求された受信番号に地域外番号を付加した番号を作成し（Ｓ２２）、そうして地域外番号が付加された受信番号を発信番号としてＳ２１の処理を行う。これによっても、使用者が所望とする受信番号を発信要求した後は、地域外番号を不可避的にダイヤル入力しなければならない通信手順に対応した発信番号が受信番号から自動的に変換されて発信されることとなる。
【００５２】
Ｓ１８において、使用者によって発信操作がされない場合（Ｓ１８：ＮＯ）、ＣＰＵ１は、Ｓ１２に戻って受信番号の一覧表示を続ける。
【００５３】
Ｓ１１において、受信番号を表示させるための操作がされない場合（Ｓ１１：ＮＯ）、ＣＰＵ１は、この変換処理を開始させることなく待機状態を続ける。
【００５４】
したがって、上記構成、動作を有するファクシミリ装置によれば、使用者の選択操作によって選ばれた受信番号（発呼元の電話番号）を、電子電話帳機能に基づく発信番号（相手先の電話番号）として登録する際、使用者が所望とする受信番号を選択操作した後は、その受信番号に含まれる市外局番と自己の市外局番に応じて、市外局番が削除された番号あるいは地域外番号が付加された番号が通信手順に対応した発信番号としてＥＥＰＲＯＭ６に記憶されるので、ワンタッチ操作で簡単に受信番号を通信手順に対応した電子電話帳機能に基づく発信番号に変換して登録することができる。
【００５５】
なお、上記実施形態は、本発明にかかる通信装置をファクシミリ装置に適用したものであるが、もちろん一般的な電話装置、携帯端末、あるいはパーソナルコンピュータの一機能として本発明を適用できることは言うまでもない。
【００５６】
【発明の効果】
以上説明したように、請求項１に記載した発明の通信装置によれば、発呼元の電話番号を電子電話帳機能に基づいて、使用者が第１，第２の操作手段を操作して所望の発信すべき相手先の電話番号として登録する際、その発呼元と自己の所定番号に関する比較結果に応じて自動的に番号変更が行われるので、ワンタッチ操作で簡単に発呼元の電話番号を通信手順に対応した電子電話帳機能に基づく電話番号に変換して登録することができる。
【００５７】
また、請求項２に記載した発明の通信装置によれば、請求項１に記載の通信装置による効果に加えて、発信すべき相手先の地域番号と自己の地域番号とが一致する場合、その相手先の電話番号から地域番号を削除して発信しなければならないという通信手順に対応するので、そのような具体的な通信手順に対応させつつ発呼元の電話番号を電子電話帳機能に基づく相手先の電話番号として登録することができる。
【００５８】
さらに、請求項３に記載した発明の通信装置によれば、請求項１または請求項２に記載の通信装置による効果に加えて、発信すべき相手先の地域番号と自己の地域番号とが異なる場合、その相手先の電話番号に地域外番号を付加して発信しなければならないという通信手順に対応するので、そのような具体的な通信手順に対応させつつ発呼元の電話番号を電子電話帳機能に基づく相手先の電話番号として登録することができる。
【００５９】
また、請求項４に記載した発明の記憶媒体によれば、記憶されたプログラムに基づいてＣＰＵを動作させることにより、請求項１に記載の通信装置の動作を実現することができる。
【図面の簡単な説明】
【図１】本発明にかかる通信装置の一実施形態を示した回路ブロック図である。
【図２】受信番号が履歴として記憶される際の処理手順について示したフローチャートである。
【図３】受信番号を発信番号として変換する際の処理手順を示したフローチャートである。
【符号の説明】
１    ＣＰＵ
２    ＮＣＵ
３    ＲＡＭ
４    モデム
５    ＲＯＭ
６    ＥＥＰＲＯＭ
７    ゲートアレイ
８    コーデック
９    ＤＭＡＣ
１１  読取部
１２  記録部
１３  操作部
１４  表示部
１６  公衆電話回線
【図１】
0003570277.tif 000002
【図２】
0003570277.tif 000003
【図３】
0003570277.tif 000004